(57)【要約】【課題】水道水を利用する洗浄具と、洗浄された車体の水滴除去及び乾燥を快適に施す乾燥具とを備えた手動式洗車装置を提供すること。【解決手段】水道ホース１７が巻き取られた第１ホースリール部１５と、エアーホース２２が巻き取られた第２ホースリール部２０と、電動式ルーツ式ブロワ１０をフレーム１に載置し、そのブロワの吐出口を第２ホースリール部の供給口に連結し、供給される水道水の噴出圧力によりブラッシング部材４５が駆動回転するように設けられた洗浄具３０の給水口を、水道ホースの先端部に着脱自在に設け、エアーブロー用ノズル５３を設けた乾燥具５０の供給口を、エアーホースの先端部に着脱自在に設け、その乾燥具５０のノズルからルーツ式ブロワ１０により発生する圧縮エアーを吹きつけることにより、洗浄具３０にて洗浄された車体に付着する水滴を除去すると共に当該車体の乾燥を施すように構成した。【選択図】  図１
2004231055.tif 000002
【特許請求の範囲】
【請求項１】
車輪を備えて移動可能とされたフレームに、所定長さの水道ホースが巻き取られた第１ホースリール部と、所定長さのエアーホースが巻き取られた第２ホースリール部と、＋２０〜＋５０ｋＰａの吐出圧力を発生する電動式ルーツ式ブロワとを載置し、そのルーツ式ブロワの吐出口を該第２ホースリール部の供給口に連結し、供給される水道水の噴出圧力によりブラッシング部材が駆動回転するように設けられた洗浄具の給水口を、前記水道ホースの先端部に着脱自在に設け、エアーブロー用ノズルが先端に設けられた乾燥具の供給口を、前記エアーホースの先端部に着脱自在に設けてなり、その乾燥具のノズルから前記ルーツ式ブロワにより発生する圧縮エアーを吹きつけることにより、前記洗浄具にて洗浄された車体に付着する水滴を除去すると共に当該車体の乾燥を施すように構成したことを特徴とする手動式洗車装置。
【請求項２】
前記第１ホースリール部の給水口又は当該給水口に接続される給水ホースの入口部に前記エアーホースの先端部を連結した状態において、前記ルーツ式ブロワを運転して該給水ホース、第１ホースリール部、前記水道ホース及び洗浄具に圧縮熱を帯びたエアーを導入させることにより、それらの内部に残留する水分を外部に排出させると共に当該内部の乾燥を促進させることを特徴とする請求項１に記載の手動式洗車装置。
【発明の詳細な説明】
【０００１】
【発明の属する技術分野】
本発明は、手持ち式の洗浄具と乾燥具とを備えた手動式洗車装置に関する。
【０００２】
【従来の技術】
従来の手動式洗車装置としては、例えば、洗車場に設置される小型のコイン式ウォッシャーがある。そのウォッシャーは、手持ち式のスプレーガンのノズルから高圧力の水や温水を噴出させることにより車の汚れを洗浄するように構成されている。コイン式ウォッシャーを使用しても汚れがよく落ちないときには、洗車用ブラシを用いて洗浄することもごく普通に行なわれる。なお、特開平１０−２１７９１８号公報には、コイン式ウォッシャーのスプレーガンに装着して使用する洗車用具が提案されている。
【０００３】
【発明が解決しようとする課題】
従来のコイン式ウォッシャーにおいて、スプレーガンから勢いよく噴出する洗浄水を車体に吹き付けたときに、洗浄水が周囲に飛散して使用者の被服を濡らしてしまうことがある。また、洗浄された車体に付着する水滴については、タオル等により拭き取るとか、コンプレッサーを用いたエアーブロー用ノズルがコイン式ウォッシャーに付設されている場合には、そのエアーブロー用ノズルから噴出する圧縮エアーによって除去するなどの方法が採られている。ところが、そのコンプレッサーの圧縮エアーが、約＋２００〜＋６００ｋＰａの高い圧力であることから、除去する水滴が周囲に飛散して使用者に吹き掛かるなどの不都合があった。
【０００４】
この発明の目的は、水道水を利用する洗浄具と、洗浄された車体の水滴除去及び乾燥をエアーブローにより快適に施す乾燥具とを備えた手動式洗車装置を提供することにある。
【０００５】
【課題を解決するための手段】
前記目的を達成するために請求項１に記載した発明の手動式洗車装置は、車輪を備えて移動可能とされたフレームに、所定長さの水道ホースが巻き取られた第１ホースリール部と、所定長さのエアーホースが巻き取られた第２ホースリール部と、＋２０〜＋５０ｋＰａの吐出圧力を発生する電動式ルーツ式ブロワとを載置し、そのルーツ式ブロワの吐出口を該第２ホースリール部の供給口に連結し、供給される水道水の噴出圧力によりブラッシング部材が駆動回転するように設けられた洗浄具の給水口を、前記水道ホースの先端部に着脱自在に設け、エアーブロー用ノズルが先端に設けられた乾燥具の供給口を、前記エアーホースの先端部に着脱自在に設けてなり、その乾燥具のノズルから前記ルーツ式ブロワにより発生する圧縮エアーを吹きつけることにより、前記洗浄具にて洗浄された車体に付着する水滴を除去すると共に当該車体の乾燥を施すように構成したことを特徴とする。
【０００６】
同様の目的を達成するために請求項２に記載した発明は、請求項１に記載の手動式洗車装置において、前記第１ホースリール部の給水口又は当該給水口に接続される給水ホースの入口部に前記エアーホースの先端部を連結した状態において、前記ルーツ式ブロワを運転して該給水ホース、第１ホースリール部、前記水道ホース及び洗浄具に圧縮熱を帯びたエアーを導入させることにより、それらの内部に残留する水分を外部に排出させると共に当該内部の乾燥を促進させることを特徴とするものである。
【０００７】
【発明の作用及び効果】
（請求項１の発明）
この手動式洗車装置は、供給される水道水の噴出圧力（約２〜３ｋｇ／ｃｍ２）によりブラッシング部材を駆動回転させるようにした洗浄具と、ルーツ式ブロワにより発生する圧縮エアーをエアーブロー用ノズルから吹き出させるようにした乾燥具を備えている。しかして、車体に付着した埃や汚泥については、洗浄具のブラッシング部材を押し付けて適宜に動かすことにより綺麗に洗い落すことができる。
【０００８】
また、洗浄後の車体に付着する水滴については、乾燥具を用いて圧縮エアー（圧力：＋２０〜＋５０ｋＰａ）を適宜吹き付けることにより、周囲に飛散させることなく速やかに除去される。さらに、圧縮エアーは外気温度より約１６〜６０℃の温度に高められるので、この圧縮熱を帯びたエアーにより車体の乾燥を短時間に施すことができる。
【０００９】
（請求項２の発明）
この手動式洗車装置の第１ホースリール部の給水口又は当該給水口に接続される給水ホースの入口部に第２ホースリール部のエアーホースの先端部を直列に連結した状態において、ルーツ式ブロワを運転してそれら給水ホース、第１ホースリール部、第１ホースリール部の水道ホース及び洗浄具に圧縮熱を帯びたエアーを導入させる。これにより、それらの内部に残留する水分は外部に排出され、それらの内部は乾燥される。
【００１０】
この手動式洗車装置によれば、回転作動するブラッシング部材を備えた洗浄具により車体に付着した埃や汚泥を綺麗に洗い落とすことができ、洗浄後の車体の水滴除去及び乾燥を乾燥具のエアーブローにより快適に施すことができる。加えて、寒冷地における使用に際しては、本装置内及び給水ホース内に残留する水分の排出及びそれら内部の乾燥処理を簡単に施すことができるので、凍結防止を図ることができる。
【００１１】
【発明の実施の形態】
以下に、本発明の実施の形態例を図面に基づいて説明する。図１は手動式洗車装置の斜視図、図２は洗浄具の一部破断平面図、図３は洗浄具の一部破断側面図、図４は乾燥具の斜視図、図５は乾燥具の他の形態例を示す斜視図である。
【００１２】
図１に示す手動式洗車装置Ｃは、水道水を利用する手持ち式の洗浄具３０と、洗浄後の車体の水滴除去及び乾燥をエアーブローにより施す手持ち式の乾燥具５０とを備えている。この手動式洗車装置Ｃは、フレーム１の下面に２組の車輪２，３を備えて移動可能とし、そのフレーム１に設けられた箱体５内に、＋２０〜＋５０ｋＰａの吐出圧力を発生する電動式ルーツ式ブロワ１０を設置している。そのフレーム１と箱体５の側部により固定されたパイプ製の支持枠６には、所定長さ、ここでは約５〜７ｍの長さの水道ホース１７が巻き取られた第１ホースリール部１５と、約５〜７ｍの長さのエアーホース２２が巻き取られた第２ホースリール部２０とを上下に横向きに配置し、それらを各々のハンドル１６，２１によって夫々回転自由に設けている。
【００１３】
上記ルーツ式ブロワ１０の吐出口１０ａは、第２ホースリール部２０の供給口（図示せず）に接続管１１，１２を介して連結されている。また、水道ホース１７の先端部１７ａには、洗浄具３０の給水口３２をネジ付ジョイント２５により着脱自在に設け、エアーホース２２の先端部２２ａには、乾燥具５０の供給口５２をネジ付ジョイント２６により着脱自在に設けている。
【００１４】
図２、図３において、洗浄具３０は、中空状に形成されたプラスチック製本体３１の握り部３１ａから少し離れた位置にコック３３を設けている。この本体３１の中間部分は、先端３１ｂのケーシング部３１ｃの向きを少しだけ変更することができるようにフレキシブルチューブ形態に設けられている。そのケーシング部３１ｃは、円筒形状で上方を開放されており、底部３１ｄの中心に軸受け部３４を設けてその周囲に多数の小孔３５が形成されている。また、ケーシング部３１ｃの周部には、図２に示すように、前記給水口３２から導入される水道水を噴出させるノズル部３６に連通する噴出孔３７が接線方向よりやや内方に向けて設けられている。
【００１５】
３８はリング部３８ａの外周に複数の湾曲形状の葉片３８ｂが一体に形成されたインペラーである。このインペラー３８は、リング部３８ａを固定した回転軸３９の一端部３９ａを前記軸受け部３４に挿入し、ケーシング部３１ｃに被着した蓋４０に設けられた軸受け部４１に、その他端部３９ｂを挿入されて回転自由に設けられている（図３）。
【００１６】
４５は回転盤４６の中心に突設した固定用ボルト４７を上記回転軸３９の一端部３９ａに螺合して取り付けられたブラッシング部材である。そのブラッシング部材４５の回転盤４６には、多数の透孔４８を形成すると共にその前面にプラスチック製又は植物繊維を糸状としたブラシ４９が植設されている。
【００１７】
しかして、給水口３２から供給される水道水の噴出圧力によりインペラー３８を回転させることにより、ブラッシング部材４５が駆動回転するように設けられた洗浄具３０が構成される。
【００１８】
図４に示す乾燥具５０は、中空状に形成されたプラスチック製本体５１の握り部５１ａ側に供給口５２を設けている。この本体５１は中間部分をフレキシブルチューブ形態に設けられ、その中間部分から少し延びる首部分５１ｂに直交するように一文字形のエアーブロー用ノズル５３を一体に形成している。そのノズル５３には、多数の小孔５４が所定間隔を置いて形成されていると共に、軟質ゴム製のリング片５５を適宜被着している。
【００１９】
図５には、上記乾燥具５０の他の形態例である乾燥具６０を示す。この乾燥具６０は、中空状に形成されたプラスチック製本体６１の握り部６１ａ側に供給口６２を設けている。この本体６１は中間部分をフレキシブルチューブ形態に設けられ、その中間部分から少し延びる首部分６１ｂに扁平形状のエアーブロー用ノズル６３を一体に形成している。そのノズル６３の開口部には、軟質ゴム製のリング片６５を被着している。
【００２０】
かかる構成になる手動式洗車装置Ｃの作動及び取り扱い方については、上記発明の作用の項において述べた内容に準ずるので、説明を省略する。
【００２１】
つぎに、本発明の手動式洗車装置Ｃについて、洗浄作業、洗浄後の乾燥処理作業に関する性能試験を行った結果を参考に示す。
【００２２】
（実験１）
中型乗用車を用いて車体の洗浄作業時間を下記条件にて計測した。
水道の蛇口における圧力：２．５ｋｇ／ｃｍ２、水量：毎分２５リットル
洗浄具３０
ノズル部３６の先端の大きさ：直径４ｍｍ
インペラー３８の大きさ：外径８０ｍｍ、葉片３８ｂの数：８
ブラッシング部材４５の大きさ：外径１１０ｍｍ
【００２３】
実験の結果、洗浄具３０のブラッシング部材４５の回転数は毎分２０回、回転トルクは３．５ｋｇｃｍとなり、洗浄作業時間は約１２分間であった。
【００２４】
（実験２）
中型乗用車を用いて洗浄後の乾燥処理作業時間を下記条件にて計測した。
ルーツ式ブロワ１０の吐出圧力：＋３０ｋＰａ
空気量：毎分１５００リットル
使用動力：１．０ｋｗ
圧縮エアーの温度：４５℃（ただし、外気温１５℃）
（なお、吐出圧力１０ｋＰａにつき約１０℃の温度上昇を示す）
【００２５】
実験の結果、乾燥処理作業時間は約８分間であった。
【００２６】
（実験３）
手動式洗車装置Ｃ内及び給水ホース内に残留する水分の排出からそれら内部の乾燥までに要する処理時間を下記要領にて調べた。
手動式洗車装置Ｃの第１ホースリール部１５の給水口に接続される給水ホース７０の入口部に、エアーホース２２の先端部２２ａを直列に連結した状態において、ルーツ式ブロワ１０を運転してそれら給水ホース７０、第１ホースリール部１５、水道ホース１７及び洗浄具３０に圧縮熱を帯びたエアーを導入させた。
ただし、給水ホース７０及び水道ホース１７については、内径１６ｍｍ、それらホースの全長を７ｍとする。
【００２７】
実験の結果、前記処理時間は約５分間であった。これにより、寒冷地において本装置を使用した場合において、残留する水分の排出から乾燥までの処理を短時間で簡単に行えることが確認された。
【００２８】
以上の通り、この手動式洗車装置は、回転作動するブラッシング部材を備えた洗浄具により車体に付着した埃や汚泥を綺麗に洗い落とすことができ、洗浄後の車体の水滴除去及び乾燥を乾燥具のエアーブローにより快適に施すことができる利点がある。
【図面の簡単な説明】
【図１】手動式洗車装置の斜視図
【図２】洗浄具の一部破断平面図
【図３】洗浄具の一部破断側面図
【図４】乾燥具の斜視図
【図５】乾燥具の他の形態例を示す斜視図
【符号の説明】
Ｃ・・・手動式洗車装置
１・・・フレーム
１０・・・電動式ルーツ式ブロワ
１０ａ・・・吐出口
１５・・・第１ホースリール部
１７・・・水道ホース
２０・・・第２ホースリール部
２２・・・エアーホース
３０・・・洗浄具
３２・・・給水口
３８・・・インペラー
４５・・・ブラッシング部材
５０・・・乾燥具
５２・・・供給口
５３・・・エアーブロー用ノズル
【図１】
2004231055.tif 000003
【図２】
2004231055.tif 000004
【図３】
2004231055.tif 000005
【図４】
2004231055.tif 000006
【図５】
2004231055.tif 000007